(57)【要約】【課題】  リモート指示に基づいて電源が遮断されない状態で停電等が発生しても、画像形成装置を正常に復帰させる。【解決手段】    第１電力状態および前記第１電力状態より省電力の第２電力状態で動作する画像形成装置において、所定の条件を満たした場合、前記駆動手段を用いて前記スイッチをオフ側に切り換える電源オフ駆動を実行させる際に、電源オフ駆動を実行した後に前記画像形成装置への電力供給が遮断されないことを検知した場合、前記電源制御手段は前記第１電力状態から第２電力状態へ遷移させることを特徴とする。【選択図】  図５
2015104836.tif 000002
【特許請求の範囲】
【請求項１】
第１電力状態および前記第１電力状態より省電力の第２電力状態で動作する画像形成装置であって、
電源から各部への電源供給を制御する電源制御手段と、
電源の供給または遮断を切り換えるためのスイッチと、
前記スイッチをオフ側に駆動するための駆動手段と、
所定の条件を満たした場合、前記駆動手段を用いて前記スイッチをオフ側に切り換える電源オフ駆動を実行する実行手段と、を備え、
前記電源オフ駆動を実行した後に前記画像形成装置への電力供給が遮断されないことを検知する検知手段と、
前記検知手段が前記画像形成装置への電力供給が遮断されないことを検知した場合、前記電源制御手段は前記画像形成装置の電力状態を前記第１電力状態から第２電力状態へ遷移させることを特徴とする画像形成装置。
【請求項２】
前記第２電力状態は、電源制御部と、ＲＡＭと、ネットワークコントローラとに電力が供給されるが、ＣＰＵ、ＲＯＭ、操作インタフェース、画像処理部、プリンタ部、スキャナ部には電力が供給されない状態であることを特徴とする請求項１記載の画像形成装置。
【請求項３】
前記電源制御手段は、前記第１電力状態から第２電力状態へ遷移させる前に、前記スイッチにより電源が遮断されることを電源復帰要因とする設定を行うことを特徴とする請求項１記載の画像形成装置。
【請求項４】
前記電源制御手段は、前記スイッチにより電源が遮断されることを電源復帰要因として設定された後、第２電力状態に対応づけられた通常の電源復帰要因では復帰しないように制御することを特徴とする請求項１記載の画像形成装置。
【請求項５】
前記電源制御手段は、前記電源オフ駆動を実行した後に前記画像形成装置への電力供給が遮断されないことを検知した場合、前記実行手段により前記駆動手段を用いて前記スイッチをオフ側に切り換える電源オフ駆動させることを特徴とする請求項１記載の画像形成装置。
【請求項６】
前記電源オフ駆動を実行した後に前記画像形成装置への電力供給が遮断されないことを検知して、前記スイッチの指示を受け付けるための通知を行う通知手段を備えることを特徴とする請求項１記載の画像形成装置。
【請求項７】
前記通知手段による前記通知は、前記画像形成装置が備える操作部に表示することを特徴とする請求項６記載の画像形成装置。
【請求項８】
前記通知手段による前記通知は、前記画像形成装置に登録されたユーザにメール送信することを特徴とする請求項６記載の画像形成装置。
【請求項９】
第１電力状態および前記第１電力状態より省電力の第２電力状態で動作する画像形成装置の制御方法であって、
所定の条件を満たした場合、駆動手段を用いて電源の供給または遮断を切り換えるためのスイッチをオフ側に切り換える電源オフ駆動を実行する実行工程と、
前記実行工程により、電源オフ駆動を実行した後に前記画像形成装置への電力供給が遮断されないことを検知する検知工程と、
前記検知工程により前記画像形成装置への電力供給が遮断されないことを検知した場合、画像形成装置の電源の状態を第１電力状態から第２電力状態へ遷移させる電源制御工程と、
を備えることを特徴とする画像形成装置の制御方法。
【請求項１０】
請求項９に記載の画像形成装置の制御方法をコンピュータに実行させることを特徴とするプログラム。
【発明の詳細な説明】
【技術分野】
【０００１】
本発明は、省電力制御を行う画像形成装置、画像形成装置の制御方法、及びプログラムに関する。
【背景技術】
【０００２】
従来から、装置の省電力化を実現する上で、装置が一定時間操作されない場合に、自動的に電源スイッチをオフにする自動オフ駆動回路を備える複写機やプリンタ等の画像形成装置がある。電源スイッチにメカニカルリレーを備え、電源スイッチがオンの状態で、外部からの信号制御によりリレーを駆動すると、電源スイッチをオフにする自動電源オフ機能を実行する装置が提案されている（特許文献１）。
この場合において、画像形成装置で、何らかの理由により駆動信号でメカニカルリレーの駆動に失敗した場合、自動電源オフ機能を実行しても装置の電源がオフされない状態となる。
【先行技術文献】
【特許文献】
【０００３】
【特許文献１】特開２００８−１４２９４２号公報
【発明の概要】
【発明が解決しようとする課題】
【０００４】
まず、画像形成装置の管理者から各装置に対して一斉にリモート環境からシャットダウンを実行するような場合には、シャットダウン実行後に画像形成装置が設置されている建物のメンテナンス等で建物の停電作業が実施されることが考えられる。
もし電源スイッチの故障でリモートからのシャットダウンができないと画像形成装置が動作している状態において停電が発生してしまうこととなり、突然電源がオフされるために正常にシャットダウン処理が実行できず、ＨＤＤをはじめとする画像形成装置内の各種デバイスが故障することの原因となってしまう可能性がある。
【０００５】
本発明は、上記の課題を解決するためになされたもので、本発明の目的は、リモート指示に基づいて電源が遮断されない状態で停電等が発生しても、画像形成装置を正常に復帰させることができる仕組みを提供することである。
【課題を解決するための手段】
【０００６】
上記目的を達成する本発明の画像形成装置は以下に示す構成を備える。
第１電力状態および前記第１電力状態より省電力の第２電力状態で動作する画像形成装置であって、電源から各部への電源供給を制御する電源制御手段と、電源の供給または遮断を切り換えるためのスイッチと、  前記スイッチをオフ側に駆動するための駆動手段と、所定の条件を満たした場合、前記駆動手段を用いて前記スイッチをオフ側に切り換える電源オフ駆動を実行する実行手段と、を備え、前記電源オフ駆動を実行した後に前記画像形成装置への電力供給が遮断されないことを検知する検知手段と、前記検知手段が前記画像形成装置への電力供給が遮断されないことを検知した場合、前記電源制御手段は前記第１電力状態から第２電力状態へ遷移させることを特徴とする。
【発明の効果】
【０００７】
本発明によれば、リモート指示に基づいて電源が遮断されない状態で停電等が発生しても、画像形成装置を正常に復帰させることができる。
【図面の簡単な説明】
【０００８】
【図１】画像形成装置を含むシステムの構成を説明するブロック図である。
【図２】図１に示した画像形成装置の外観を示す斜視図である。
【図３】画像形成装置のコントローラを説明するブロック図である。
【図４】電源制御に関するハードウェア構成を示すブロック図である。
【図５】画像形成装置の制御方法を説明するフローチャートである。
【図６】画像形成装置が省電力状態における電源制御部の復帰要因を説明する図である。
【図７】操作部に表示されるメッセージ画面を示す図である。
【図８】通知されるメール内容を説明する図である。
【図９】画像形成装置の制御方法を説明するフローチャートである。
【発明を実施するための形態】
【０００９】
次に本発明を実施するための形態について図面を参照して説明する。
＜システム構成の説明＞
〔第１実施形態〕
【００１０】
図１は、本実施形態を示す画像形成装置を含むシステムの構成を説明するブロック図である。本例は、ホストコンピュータ４０、５０および画像形成装置（１０、２０、３０）がＬＡＮ６０に接続されているシステムである。なお、本システムにおいては、これらの接続数に限られることはない。また、本実施例では接続方法としてＬＡＮを適用しているが、これに限られることはない。例えばＷＡＮ（公衆回線）などの任意のネットワークなども適用可能である。なお、本実施形態に示す画像形成装置は、第１電力状態および前記第１電力状態より省電力の第２電力状態で動作するための電源制御が実行可能な画像形成装置を例として説明する。ここで、第１電力状態とは、画像形成可能なスタンバイ状態に対応し、第２電力状態とは、後述する図６に示すいずれかの電力状態に対応する。
【００１１】
図１において、ホストコンピュータ（以下、ＰＣと称する）４０、５０はパーソナルコンピュータの機能を有している。このＰＣ４０は、ＬＡＮ６０やＷＡＮを介してＦＴＰやＳＭＢプロトコルを用いファイルを送受信したり電子メールを送受信したりすることができる。また、ＰＣ４０、５０から画像形成装置１０、２０、３０に対して、プリンタドライバを介した印字命令を行うことが可能となっている。さらにＰＣ４０、５０は、定期的に画像形成装置１０、２０、３０に対して、画像形成装置の状態を問い合わせることができ、ＰＣ４０、５０からの要求によって、画像形成装置１０、２０、３０は印刷可能であるか否かなどの情報を返信することができる。
【００１２】
画像形成装置１０と画像形成装置２０は、同じ構成を有する装置である。画像形成装置３０は、プリント機能のみの画像形成装置であり、画像形成装置１０や２０が有するスキャナ部１３を有していない。以下では、説明の簡単のために、画像形成装置１０、２０のうちの画像形成装置１０に注目して、その構成を詳細に説明する。
【００１３】
画像形成装置１０は、画像入力デバイスであるスキャナ部１３、画像出力デバイスであるプリンタ部１４、画像形成装置１０全体の動作制御を司るコントローラ（Ｃｏｎｔｒｏｌｌｅｒ  Ｕｎｉｔ）１１、ユーザインターフェース（ＵＩ）である操作部１２から構成される。
【００１４】
図２は、図１に示した画像形成装置１０の外観を示す斜視図である。
図２において、スキャナ部１３は、複数のＣＣＤを有している。この各ＣＣＤの感度が夫々異なっていると、たとえ原稿上の各画素の濃度が同じであったとしても、各画素が夫々違う濃度であると認識されてしまう。そのため、スキャナ部１３では、最初に白板（一様に白い板）を露光走査し、露光走査して得られた反射光の量を電気信号に変換してコントローラ１１に出力している。続いて、この原稿上の画像をスキャンする構成について説明する。
【００１５】
スキャナ部１３は、原稿上の画像を露光走査して得られた反射光をＣＣＤに入力することで画像の情報を電気信号に変換する。さらに電気信号をＲ，Ｇ，Ｂ各色からなる輝度信号に変換し、当該輝度信号を画像データとしてコントローラ１１に対して出力する。
【００１６】
なお、原稿は原稿フィーダ２０１のトレイ２０２にセットされる。ユーザが操作部１２から読み取り開始を指示すると、コントローラ１１からスキャナ部１３に原稿読み取り指示が与えられる。スキャナ部１３は、この指示を受けると原稿フィーダ２０１のトレイ２０２から原稿を１枚ずつフィードして、原稿の読み取り動作を行う。なお、原稿の読み取り方法は原稿フィーダ２０１による自動送り方式ではなく、原稿を不図示のガラス面上に載置し露光部を移動させることで原稿の走査を行う方法であってもよい。
【００１７】
プリンタ部１４は、コントローラ１１から受取った画像データを用紙上に形成する画像形成デバイスである。なお、本実施例において画像形成方式は感光体ドラムや感光体ベルトを用いた電子写真方式となっているが、本発明はこれに限られることはない。例えば、微少ノズルアレイからインクを吐出して用紙上に印字するインクジェット方式などでも適用可能である。また、プリンタ部１４には、異なる用紙サイズ又は異なる用紙向きを選択可能とする複数の用紙カセット２０３、２０４、２０５が設けられている。排紙トレイ２０６には印字後の用紙が排出される。
【００１８】
図３は、図１に示した画像形成装置１０のコントローラ１１を説明するブロック図である。本例では、コントローラ１１はスキャナ部１３やプリンタ部１４と電気的に接続されており、一方ではＬＡＮ６０などを介してＰＣ４０、５０や外部の装置などと接続されている。これにより画像データやデバイス情報の入出力が可能となっている。
【００１９】
図３において、ＣＰＵ３０１は、ＲＯＭ３０３に記憶された制御プログラム等に基づいて接続中の各種デバイスとのアクセスを統括的に制御すると共に、コントローラ内部で行われる各種処理についても統括的に制御する。ＲＡＭ３０２は、ＣＰＵ３０１が動作するためのシステムワークメモリであり、かつ画像データを一時記憶するためのメモリでもある。このＲＡＭ３０２は、記憶した内容を電源ｏｆｆ後も保持しておくＳＲＡＭ及び電源ｏｆｆ後には記憶した内容が消去されてしまうＤＲＡＭにより構成されている。ＲＯＭ３０３には装置のブートプログラムなどが格納されている。ＨＤＤ３０４はハードディスクドライブであり、システムソフトウェアや画像データを格納することが可能となっている。
【００２０】
操作部Ｉ／Ｆ（操作インタフェース）３０５は、システムバス３０７と操作部１２とを接続するためのインターフェース部である。この操作部Ｉ／Ｆ３０５は、操作部１２に表示するための画像データをシステムバス３０７から受取り、操作部１２に出力すると共に、操作部１２から入力された情報をシステムバス３０７へと出力する。
【００２１】
ＬＡＮコントローラ（ネットワークコントローラ）３０６は、ＬＡＮ６０及びシステムバス３０７に接続し、情報の入出力制御を行う。またＬＡＮコントローラ３０６はＰｏｗｅｒ  Ｏｖｅｒ  Ｅｔｈｅｒｎｅｔ（登録商標）（ＰＯＥ）の受電部も搭載しており、ＬＡＮケーブルから電力供給されることが可能である。そのため画像形成装置１０の電源から供給される電力だけでなく、ＰＯＥで供給される電力によってもＬＡＮコントローラ３０６は動作することが可能である。
画像バス３０８は画像データをやり取りするための伝送路であり、ＰＣＩバスやＩＥＥＥ１３９４等々のバスで構成されている。画像処理部３０９は、画像処理を行うためのものであり、ＲＡＭ３０２に記憶された画像データを読み出し、ＪＰＥＧ、ＪＢＩＧなどの拡大または縮小および、色調整などの画像処理を行うことが可能である。
【００２２】
スキャナ画像処理部３１０は、スキャナ部１３からスキャナＩ／Ｆ３１１を介して受取った画像データに対して、補正、加工、及び編集を行う。なお、スキャナ画像処理部３１０は、受取った画像データがカラー原稿か白黒原稿か、文字原稿か写真原稿かなどを判定する。そして、その判定結果を画像データに付随させる。こうした付随情報を属性データと称する。
【００２３】
プリンタ画像処理部３１２は、この画像データに付随させられている属性データを参照しながら画像データに画像処理を施す。画像処理後の画像データは、プリンタＩ／Ｆ３１３を介してプリンタ部１４に出力される。
【００２４】
図４は、図１に示したコントローラ１１、スキャナ部１３、プリンタ部１４の電源制御に関するハードウェア構成を示すブロック図である。
図４において、電源制御部４０１は、起動時や電源オフ時の電源制御や省電力状態への移行／復帰といった電源状態の変更を制御する。省電力状態からの復帰する場合の復帰要因（例えばＦＡＸ受信やスイッチ押下等）を検知する部分であり、電源制御部は各復帰要因に応じてスタンバイ状態へ移行した際の電源制御を実施する。
また、ＣＰＵ３０１からの命令や後述のＷａｋｅ信号４０２等の省電力状態からの復帰検出用の信号等を受け、その命令によって第一電源供給部４０９や第二電源供給部４１０から各装置に対して電源供給を行うかどうかの制御を行う。さらに、リモート環境からのシャットダウンを実行したときに電源スイッチ４８０をオフするためにソレノイド４７０への通電制御を行う。当該ソレノイド４７０は、スイッチをオフ側に切り換えるために用いられる。
【００２５】
Ｗａｋｅ信号４０２は、Ｓｌｅｅｐ状態になっている場合にＬＡＮコントローラ３０６がネットワーク６０経由で自機に対するパケットを受信した際に、その旨をＬＡＮコントローラ３０６から電源制御部４０１に通知するための信号である。電源制御部４０１はＷａｋｅ信号４０２を検知したら、制御信号４０７、４１７、４１８、４５１の制御を行い、各デバイスに対して供給する電源の選択を行う。制御信号４０４〜４０７、４１７、４１８、４５１は、各デバイスに対して電源供給を行うかどうかを制御するための信号である。
【００２６】
また、スイッチ４１１〜４１４、４１５、４１９、４５０は制御信号４０４〜４０７、４１７、４１８、４５１で制御されるスイッチである。スイッチ４１１〜４１４、４１５、４１９、４５０を制御信号４０４〜４０７、４１７、４１８、４５１で制御することで各デバイスに対しての電源供給状態を変更することが可能となる。スイッチ４１１〜４１４、４１５、４１９、４５０はＦＥＴやリレースイッチ等によって実現することができる。
【００２７】
制御信号４０４およびスイッチ４１３は、ＬＡＮコントローラ３０６への電源供給を制御する。画像形成装置１０がスタンバイ状態およびＳｌｅｅｐ状態の場合に、ＬＡＮコントローラ３０６へ電源を供給し、画像形成装置１０がオフ状態の場合にはＬＡＮコントローラ３０６への電源を停止するように制御している。
【００２８】
制御信号４０５およびスイッチ４１４は、ＲＡＭ３０２への第一電源供給を制御する。例えばＳｌｅｅｐ状態の場合には、セルフリフレッシュ状態のＲＡＭ３０２に対して第一電源から電力供給を行い、画像形成装置１０をオフ状態にする場合にはＲＡＭ３０２に対して第一電源からの電力供給を停止するといったことが考えられる。
【００２９】
制御信号４０６およびスイッチ４１１は、第一電源供給部４０９からコントローラユニット１１に対しての電源供給を制御する。制御信号４０６およびスイッチ４１１は後述の電源スイッチ４８０がユーザによってオンされたら、電源スイッチ４８０の状態通知信号４１６を電源制御部４０１が受けてオンする。
これによりユーザが電源スイッチ４８０をオフした際にも、コントローラユニット１１に対して電源供給することが可能となる。このとき電源制御部４０１は電源スイッチ４８０の状態通知信号４１６により、電源スイッチ４８０がオフされたことを検知し、それをＣＰＵ３０１に対して通知することで、正常なシャットダウン処理をしてから各デバイスに対しての電源をオフすることが可能となる。
【００３０】
電源スイッチ４８０は、ユーザによって画像形成装置１０への電源オン／オフの操作をするためのスイッチであり、ユーザが電源スイッチ４８０をオンすることで第一電源供給部４０９からコントローラユニット１１に対して電源が供給されるようになる。この電源スイッチ４８０は内部にソレノイド４７０が設置されており、ソレノイド４７０に通電することで電源スイッチ４８０がオフに切り替わる構成になっている。これによりリモート環境からのシャットダウン処理を受け付けた場合に、ソレノイド４７０をソレノイド制御信号４７１で制御し、通電することにより電源スイッチ４８０をオフにすることが可能となっている。
【００３１】
制御信号４０７およびスイッチ４１２は、第二電源供給部４１０に対してＡＣ電源の供給を制御する。第二電源供給部４１０は、省電力状態のときにオフされて、スタンバイ状態のときにオンされる電源である。例えば省電力状態のときに電源制御部４０１がＷａｋｅ信号４０２を受けた時に、電源制御部４０１は制御信号４０７を制御し、スイッチ４１２をオンすることでスタンバイ状態のときに必要な各デバイスに対しての電源をオンすることが可能となる。
【００３２】
第一電源供給部４０９は、ＡＣ電源をＤＣ電源に変換し、電源制御部４０１等に対して第一電源を供給する。第一電源供給部４０９から供給される第一電源は、画像形成装置１０を省電力状態にした場合でも電源制御部４０１等に対して電源供給を行うために備えられている電源である。第一電源は電源制御部４０１の他に省電力状態からの復帰を行うためにネットワーク６０からの自機宛てのパケットを検知するためのＬＡＮコントローラ３０６へも供給される。
【００３３】
第二電源供給部４１０は、ＡＣ電源をＤＣ電源に変換し、各デバイスに対して、第二電源を供給する。第二電源供給部４１０から供給される第二電源は、画像形成装置１０が省電力状態の時に電源供給を停止する電源である。第二電源供給部４１０は、省電力状態の場合に電源供給が不要な各種デバイスに対して電源供給を行うために備えられている。
【００３４】
図５は、本実施形態を示す画像形成装置の制御方法を説明するフローチャートである。本例は、リモート環境からのシャットダウン指示やタイマによるオートシャットダウンが発生した場合のＣＰＵ３０１の制御フローを示す。なお、各ステップは、ＣＰＵ３０１がＲＯＭ３０３等に記憶された制御プログラムを実行することで実現される。以下、電源オフ駆動を実行した後に画像形成装置への電力供給が遮断されないことを検知した場合に実行される電源制御について詳述する。
Ｓ５０１では、ＣＰＵ３０１が、リモート環境からのシャットダウン指示やタイマによるオートシャットダウン指示があるかどうかの検知を行っている。ここで、シャットダウン指示をＣＰＵ３０１が検知したらＳ５０２に移行する。ここで、シャットダウン指示は、所定の条件を満たした場合に指示される。
【００３５】
Ｓ５０２では、ＣＰＵ３０１の指示で、電源制御部４０１がソレノイド４７０への通電を開始している。Ｓ５０１では、ＣＰＵ３０１がシャットダウン指示を受けると、ＣＰＵ３０１が電源制御部４０１に対してソレノイド制御信号４７１を制御するように指示を出す。ソレノイド４７０に対して通電することで、これを内部に備えている電源スイッチ４８０がオフに駆動される。
【００３６】
Ｓ５０３では、ＣＰＵ３０１は、ソレノイド４７０への通電を開始してから５００ｍｓ経過したかどうかの判断を行っている。ここでの５００ｍｓは、ソレノイド４７０の仕様に依存しており、本実施形態で示した時間は一例である。ソレノイド４７０への通電時間は、電源スイッチ４８０をオフできて且つソレノイド４７０の寿命や品質等に影響しない範囲の時間であればよいものとする。また、５００ｍｓ経過したかどうかの判断はＣＰＵ３０１で備えるタイマによる判断でも、電源制御部４０１に備えるハードタイマのどちらでも実現することが可能である。５００ｍｓ経過したと判断したらＳ５０４に移行する。
【００３７】
Ｓ５０４では、ＣＰＵ３０１の指示で、電源制御部４０１がソレノイド４７０への通電を停止している。Ｓ５０３でＣＰＵ３０１が５００ｍｓ経過したと判断したら、ＣＰＵ３０１が電源制御部４０１に対してソレノイド制御信号４７１を制御するように指示を出し、ソレノイド４７０への通電を停止させる。ここではＣＰＵ３０１による経過時間の判断にしたがっての制御を記載したが、電源制御部４０１内のハードタイマに従って、ＣＰＵ３０１を介さずに電源制御部４０１がソレノイド制御信号４７１を制御することも可能である。
【００３８】
Ｓ５０５では、ＣＰＵ３０１は、電源スイッチ４８０がオフされたかどうかの判断を行っている。具体的には、ＣＰＵ３０１が電源制御部４０１に入力される電源スイッチ４８０の状態通知信号４１６による割り込みを受けたかどうかの判定を行う。ＣＰＵ３０１が電源スイッチ４８０のオフの割り込みを検知したと判断した場合にはＳ５０６に移行し、ＣＰＵ３０１が電源スイッチ４８０のオフ割り込みを検知していないと判断した場合にはＳ５０７に移行する。
【００３９】
Ｓ５０６では、Ｓ５０５で電源スイッチ割り込みをＣＰＵ３０１が検知したら通常のシャットダウン処理をＣＰＵ３０１が実行する。本シャットダウン処理において、電源制御部４０１に対してＣＰＵ３０１が電源オフ指示をすることで最終的に画像形成装置の各デバイスの電源をオフすることが可能である。
電源制御部４０１はＣＰＵ３０１からシャットダウン処理を受けたら制御信号４０４〜４０７、４１７、４１８、４５１を制御して、スイッチ４１１〜４１４、４１５、４１９、４５０をオフすることで各デバイスへの電源をオフする。
【００４０】
Ｓ５０７では、ソレノイドの通電開始から１０ｓｅｃ経過しているかどうかをＣＰＵ３０１が判断している。ここでの１０ｓｅｃは一例で、ソレノイド４７０に通電してから電源スイッチ４８０をオフ駆動できるまでの時間を保証できればよいものとする。何かしらの要因により電源スイッチ４８０をオフできなく、１０ｓｅｃ経過しても電源スイッチ４８０のオフ割り込みをＣＰＵ３０１が検知できないと判断した場合にはＳ５０８に移行する。
【００４１】
Ｓ５０８では、ＣＰＵ３０１は、電源スイッチ４８０がオフできなかったことをユーザに対して通知している。ＣＰＵ３０１において電源スイッチ４８０のオフ割り込みが検知できなかった場合に、電源スイッチ４８０あるいはソレノイド４７０が故障していることをＣＰＵ３０１がユーザに対して通知する。通知手段は画像形成装置１０に備わっている操作部１２への表示やＬＡＮコントローラ３０６経由でリモート環境にいる画像形成装置１０の管理者に対してメール等で通知することが可能である。
【００４２】
Ｓ５０９では、電源制御部４０１に対して電源スイッチ４８０がオフされたときに省電力状態から復帰するような設定をＣＰＵ３０１が行う。電源スイッチ４８０がオフされたときに省電力状態から復帰するような設定を電源制御部４０１に対して行うのは、電源スイッチ４８０がオフできなかった場合でも画像形成装置１０を安全な状態でするためである。まずこれまでの省電力状態では、高速起動状態やＳｌｅｅｐ状態があり各省電力状態での電源復帰要因を図６に示す。本図に示すように、スイッチにより電源が遮断されることを電源復帰要因として設定された後は、第２電力状態に対応づけられた通常の電源復帰要因では復帰しないように制御することができる。
電源スイッチ４８０がオフできなかった場合に高速起動状態と同じ状態で省電力状態にすると電源スイッチ４８０がオンのままなので図６の復帰要因にあるように省電力状態にしてもすぐに復帰してしまう。
例えばリモート環境から画像形成装置１０の電源をオフしたつもりで建物のメンテナンスで停電作業を行ってしまうような場合に、ＣＰＵ３０１が動作している状態での停電によりＨＤＤ３０４やＲＯＭ３０３への誤書き込みや正常なシャットダウンがなされないことに対する障害は発生してしまうことが考えられる。
また、電源スイッチ４８０がオフできなかった場合にＳｌｅｅｐ状態と同じ状態で省電力状態にするとリモート環境から画像形成装置１０の電源をオフしたつもりなのに図６の復帰要因にあるようにＦＡＸ着信やネットワークからのＪＯＢ受けて復帰してしまうことが考えられ、ユーザの意図していない状態（ユーザはオフしたつもりだが画像形成装置１０がオンされている状態）となってしまう。
このようなことを避けるために電源スイッチ４８０がオフできなった場合には電源スイッチ４８０がオフされたことを復帰要因にして復帰するような設定にする必要がある。これにより、高速起動状態での省電力状態のように電源スイッチ４８０オン検知での復帰をせずに、Ｓｌｅｅｐ状態での省電力状態のように各種ＪＯＢによる復帰をしないようにすることが可能となる。
【００４３】
Ｓ５１０では、省電力状態への移行をＣＰＵ３０１が実行する。ＣＰＵ３０１からの指示で、電源制御部４０１が制御信号４０７、４１７、４１８、４５１を制御して、スイッチ４１２、４１５、４１９、４５０をオフすることで定着器など電流を多く消費する箇所への通電をオフすることができる。これにより、画像形成装置全体として電源の供給状態が第１電力状態から第２電力状態へ遷移させることができる。
図７は、図３に示した操作部１２に表示されるＵＩ画面の一例を示す図である。本例は、図５に示したＳ５０８で、ＣＰＵ３０１の制御で操作部１２に表示されるメッセージ画面である。
本実施形態では、メッセージにより、ユーザに対して電源スイッチ４８０を自動的にオフできない旨を通知し、ユーザによる電源スイッチ４８０をオフする操作を催促するメッセージを合わせて表示する例を示す。
図８は、図５に示したＳ５０８で、ＣＰＵ３０１の制御で管理者に通知されるメールの一例を示す図である。なお、通知するメッセージの内容は、図７に示したメッセージと同様である。なお、メール送信されるメッセージは、通知すべき内容に応じて通知先を複数、あるいは個別に通知するように制御してもよい。つまり、画像形成装置に登録された通知先が管理者に限定されることなく、複数のユーザに当該メッセージを通知することができる。
以上のことから何らかの理由により駆動信号でメカニカルリレーの駆動に失敗したときでも、突然の停電に対して画像形成装置が故障しないような状態にすることができる。
【００４４】
〔第２実施形態〕
本実施形態では電源スイッチ４８０をより確実にオフするための制御例を説明する。
図９は、本実施形態を示す画像形成装置の制御方法を説明するフローチャートである。本例は、リモート環境からのシャットダウン指示やタイマによるオートシャットダウンが発生した場合の制御フローを示す。なお、各ステップは、ＣＰＵ３０１がＲＯＭ３０３等に記憶された制御プログラムを実行することで実現される。また、Ｓ７０１〜Ｓ７０７の処理は、図５のＳ５０１〜Ｓ５０７の処理と同一であるためここでは説明を省略する。
【００４５】
Ｓ７０８〜Ｓ７１０は、図５のＳ５０２〜Ｓ５０４と同じ処理で、Ｓ７０７においてソレノイド４７０への通電開始から１０ｓｅｃ経過後、Ｓ７０８で、ＣＰＵ３０１の指示で、電源制御部４０１がソレノイド４７０への通電を開始する。そして、Ｓ７０９で、ＣＰＵ３０１が５００ｍｓ経過したと判断したら、Ｓ７１０で、ＣＰＵ３０１が電源制御部４０１に対してソレノイド制御信号４７１を制御するように指示を出し、ＣＰＵ３０１は、再度電源スイッチ４８０をオフするための処理を実行する。これにより、最初のソレノイド４７０への通電時に何かしら外的要因で電源スイッチ４８０がオフできなかった場合に、２回目の電源スイッチ４８０のオフ処理で正常に電源スイッチ４８０オフ駆動をすることができる可能性が高くなる。
Ｓ７１１〜Ｓ７１５の処理は、図５のＳ５０５、Ｓ５０７〜Ｓ５１０の処理と同一であるためにここでは説明を省略する。
これにより、偶発的に電源スイッチ４８０をオフ出来ない場合でも、電源スイッチ４８０をオフ出来る可能性が高くなり、正常なシャットダウンを実行できる可能性が高まる。
〔その他の実施形態〕
【００４６】
さらに本発明は、複数の機器（例えばコンピュータ、インターフェース機器、リーダー、プリンタなど）から構成されるシステムに適用することも、一つの機器からなる装置（複合機、プリンタ、ファクシミリ装置など）に適用することも可能である。
【００４７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４９】
４０１  電源制御部
４１７  ソレノイド制御信号
４７０  ソレノイド
４８０  電源スイッチ
【図１】
2015104836.tif 000003
【図２】
2015104836.tif 000004
【図３】
2015104836.tif 000005
【図４】
2015104836.tif 000006
【図５】
2015104836.tif 000007
【図６】
2015104836.tif 000008
【図７】
2015104836.tif 000009
【図８】
2015104836.tif 000010
【図９】
2015104836.tif 000011